(57)【要約】【課題】無線ＬＡＮ通信エリア内に、無線ＬＡＮ通信エリアよりも狭いブルートゥース通信エリア（ＢＬＥ通信エリア）を設定し、ＢＬＥ通信エリア内のデバイスに対してのみ、無線ＬＡＮ通信の利用を可能とする無線ＬＡＮ通信システムにおいて、ＢＬＥ通信エリア外に移動するデバイスを、ＢＬＥ通信に依存することなく特定して管理可能とする。【解決手段】ＢＬＥ通信エリア６内に位置するデバイスのブルートゥースアドレス、無線ＬＡＮのＩＰアドレスを含む第１のリスト９１を設ける。そして、ＢＬＥ通信が途絶えたデバイスのＩＰアドレスを第１のリスト９１から検索し、検索したＩＰアドレスに対応する無線ＬＡＮ通信回線及びＢＬＥ通信回線を切断処理する。これにより、ＢＬＥ通信エリア６外に移動したデバイスを、ＢＬＥ通信に依存することなく特定し、通信回線の切断等の管理を行うことができる。【選択図】図１３
2016158177.tif 000002
【特許請求の範囲】
【請求項１】
第１の通信範囲内で通信可能な第１の無線通信方式を用いて無線通信を行う第１の通信部と、
第２の通信範囲内で通信可能な第２の通信方式を用いて無線通信を行う第２の通信部と、
前記第１の無線通信方式による通信を確立するための設定情報を用いて、前記第２の通信範囲内に位置する他の通信装置に割り当てられた前記第１の無線通信を確立するための第１のアドレス、及び、前記第２の無線通信を確立するための第２のアドレスを少なくとも含む接続装置情報を生成する生成部と、を有し、
前記第２の通信部は、前記第１の通信方式による通信を確立するための設定情報を送信し、
前記第１の通信部は、前記第２の通信範囲外への前記他の通信装置の移動が検出された際に、前記接続装置情報に基づいて、前記第２の通信範囲外へ移動した前記他の通信装置に割り当てられた前記第１のアドレスを検出し、前記第２の通信範囲外へ移動した前記他の通信装置の前記第１の通信方式による通信を切断すること
を特徴とする通信装置。
【請求項２】
前記第１の通信方式による通信が切断された前記他の通信装置に対応する前記接続装置情報を削除する削除処理部を、さらに備えること
を特徴とする請求項１に記載の通信装置。
【請求項３】
前記第２の通信範囲外への前記他の通信装置の移動が検出された場合において、
前記第１の通信部及び第２の通信部は、前記接続装置情報に登録されている全ての通信装置に対応する前記第１の通信方式による通信及び前記第２の通信方式による通信を切断し、
前記削除処理部は、全ての前記接続装置情報を削除すること
を特徴とする請求項２に記載の通信装置。
【請求項４】
前記生成部は、前記第２の通信範囲内に位置する前記他の通信装置の制御情報を含む前記接続装置情報を生成し、
前記第２の通信部は、前記制御情報を含む前記接続装置情報を前記第２の通信範囲内に位置する前記他の通信装置に送信すると共に、前記制御情報を含む前記接続装置情報を受信した前記他の通信装置から送信された、前記第２の通信範囲内に位置する前記他の通信装置を操作するための操作情報を、前記他の通信装置に送信すること
を特徴とする請求項１から請求項３のうち、いずれか一項に記載の通信装置。
【請求項５】
前記第１の通信部は、前記他の通信装置が前記第２の通信範囲外に移動した際に、前記第１の通信方式による通信を切断すること
を特徴とする請求項１から請求項４のうち、いずれか一項に記載の通信装置。
【請求項６】
前記第２の通信部は、固有識別情報又は公開鍵を前記設定情報として前記他の通信装置に送信すること
を特徴とする請求項１から請求項５のうち、いずれか一項に記載の通信装置。
【請求項７】
第１の通信範囲内で通信可能な第１の無線通信方式を用いて無線通信を行う第１の通信部と、
第２の通信範囲内で通信可能な第２の通信方式を用いて無線通信を行う第２の通信部と、
前記第１の無線通信方式による通信を確立するための設定情報を用いて、前記第２の通信範囲内に位置する他の通信装置に割り当てられた前記第１の無線通信を確立するための第１のアドレス、及び、前記第２の無線通信を確立するための第２のアドレスを少なくとも含む接続装置情報を生成する生成部と、を有する通信装置の通信方法であって、
前記第２の通信部が、前記第１の通信方式による通信を確立するための設定情報を送信する送信ステップと、
前記第２の通信範囲外への前記他の通信装置の移動が検出された際に、前記第１の通信部が、前記接続装置情報に基づいて、前記第２の通信範囲外へ移動した前記他の通信装置に割り当てられた前記第１のアドレスを検出し、前記第２の通信範囲外へ移動した前記他の通信装置の前記第１の通信方式による通信を切断する切断ステップと、
を有することを特徴とする通信方法。
【請求項８】
前記生成部が、前記第２の通信範囲内に位置する前記他の通信装置の制御情報を含む前記接続装置情報を生成する生成ステップを、さらに備え、
前記送信ステップでは、前記第２の通信部が、前記制御情報を含む前記接続装置情報を前記第２の通信範囲内に位置する前記他の通信装置に送信すると共に、前記制御情報を含む前記接続装置情報を受信した前記他の通信装置から送信された、前記第２の通信範囲内に位置する前記他の通信装置を操作するための操作情報を、前記他の通信装置に送信すること
を特徴とする請求項７に記載の通信方法。
【請求項９】
第１の通信範囲内で通信可能な第１の無線通信方式を用いて無線通信を行う第１の通信部と、
第２の通信範囲内で通信可能な第２の通信方式を用いて無線通信を行う第２の通信部と、
前記第１の無線通信方式による通信を確立するための設定情報を用いて、前記第２の通信範囲内に位置する他の通信装置に割り当てられた前記第１の無線通信を確立するための第１のアドレス、及び、前記第２の無線通信を確立するための第２のアドレスを少なくとも含む接続装置情報を生成する生成部と、を有し、
前記第２の通信部は、前記第１の通信方式による通信を確立するための設定情報を送信し、
前記第１の通信部は、前記第２の通信範囲外への前記他の通信装置の移動が検出された際に、前記接続装置情報に基づいて、前記第２の通信範囲外へ移動した前記他の通信装置に割り当てられた前記第１のアドレスを検出し、前記第２の通信範囲外へ移動した前記他の通信装置の前記第１の通信方式による通信を切断すること
を特徴とする通信システム。
【請求項１０】
前記生成部は、前記第２の通信範囲内に位置する前記他の通信装置の制御情報を含む前記接続装置情報を生成し、
前記第２の通信部は、前記制御情報を含む前記接続装置情報を前記第２の通信範囲内に位置する前記他の通信装置に送信すると共に、前記制御情報を含む前記接続装置情報を受信した前記他の通信装置から送信された、前記第２の通信範囲内に位置する前記他の通信装置を操作するための操作情報を、前記他の通信装置に送信すること
を特徴とする請求項９に記載の通信システム。
【発明の詳細な説明】
【技術分野】
【０００１】
本発明は、通信装置、通信方法、及び、通信システムに関する。
【背景技術】
【０００２】
特許文献１（特開２０１０−７３１０５号公報）に、装置間の通信を伴うアプリケーションの利便性の向上を目的とした情報処理装置が開示されている。この情報処理装置の場合、まず、第１の携帯電話機と第２の携帯電話機が、第１通信（近接無線通信）を行い、互いの機器情報と共に、ケイパビリティ情報を交換する。次に、各携帯電話機は、ケイパビリティ情報を用いて第２通信（近距離無線通信）の通信回線の確立を図る。そして、各携帯電話機は、確立された第２通信の通信回線を用いて、アプリケーションの連係動作を行う。
【発明の概要】
【発明が解決しようとする課題】
【０００３】
ここで、本願発明の出願人は、第１の無線通信範囲内に、第１の無線通信範囲よりも狭い第２の無線通信範囲を設定し、第２の無線通信範囲内のデバイスに対してのみ、第１の無線通信の利用を可能とする通信システムを以下に開示する。
【０００４】
このような通信システムにおいて、第２の無線通信範囲外にデバイスが移動すると、第２の無線通信による通信が困難となるため、第２の無線通信で第１の無線通信の通信回線の切断指示を行うことは困難となる。しかし、第２の無線通信に依存することなく、第２の無線通信範囲外に移動したデバイスを特定して、第１の無線通信を切断できれば、通信システムのセキュリティを、より向上させることができる。
【０００５】
本発明に係る通信装置、通信方法、及び、通信システムは、第２の無線通信範囲内外に移動するデバイスを、第２の無線通信に依存することなく特定して管理可能とすることで、システムのセキュリティの向上を図ることを目的とする。
【課題を解決するための手段】
【０００６】
本発明は、第１の通信範囲内で通信可能な第１の無線通信方式を用いて無線通信を行う第１の通信部と、第２の通信範囲内で通信可能な第２の通信方式を用いて無線通信を行う第２の通信部と、第１の無線通信方式による通信を確立するための設定情報を用いて、第２の通信範囲内に位置する他の通信装置に割り当てられた第１の無線通信を確立するための第１のアドレス、及び、第２の無線通信を確立するための第２のアドレスを少なくとも含む接続装置情報を生成する生成部と、を有し、第２の通信部は、第１の通信方式による通信を確立するための設定情報を送信し、第１の通信部は、第２の通信範囲外への他の通信装置の移動が検出された際に、接続装置情報に基づいて、第２の通信範囲外へ移動した他の通信装置に割り当てられた第１のアドレスを検出し、第２の通信範囲外へ移動した他の通信装置の第１の通信方式による通信を切断することを特徴とする。
【発明の効果】
【０００７】
本発明によれば、第２の無線通信範囲内外に移動する通信装置を、第２の無線通信に依存することなく特定して管理でき、システムのセキュリティの向上を図ることができるという効果を奏する。
【図面の簡単な説明】
【０００８】
【図１】図１は、無線ＬＡＮ通信システムの基本構成を示すシステム構成図である。
【図２】図２は、基本構成となる無線ＬＡＮ通信システムに設けられている通信範囲制限装置のハードウェア構成図である。
【図３】図３は、基本構成となる無線ＬＡＮ通信システムに設けられているスマートフォンのハードウェア構成図である。
【図４】図４は、基本構成となる無線ＬＡＮ通信システムに設けられているプリンタ装置のハードウェア構成図である。
【図５】図５は、基本構成となる無線ＬＡＮ通信システムに設けられているプロジェクタ装置のハードウェア構成図である。
【図６】図６は、基本構成となる無線ＬＡＮ通信システムに設けられている通信範囲制限装置の機能ブロック図である。
【図７】図７は、基本構成となる無線ＬＡＮ通信システムに設けられているスマートフォンの機能ブロック図である。
【図８】図８は、基本構成となる無線ＬＡＮ通信システムに設けられているプリンタ装置の機能ブロック図である。
【図９】図９は、基本構成となる無線ＬＡＮ通信システムにおいて、無線ＬＡＮ通信エリアのＢＬＥ通信エリア内に移動したスマートフォンが、無線ＬＡＮ通信回線を確立する流れを示すシーケンス図である。
【図１０】図１０は、基本構成となる無線ＬＡＮ通信システムにおいて、無線ＬＡＮ通信エリアのＢＬＥ通信エリア内に位置するプリンタ装置が、無線ＬＡＮ通信回線を確立する流れを示すシーケンス図である。
【図１１】図１１は、基本構成となる無線ＬＡＮ通信システムにおいて、無線ＬＡＮに接続されたスマートフォンからプリンタ装置を遠隔操作して印刷物を印刷する流れを示すフローチャートである。
【図１２】図１２は、基本構成となる無線ＬＡＮ通信システムにおいて、ＢＬＥ通信エリア内でプリンタ装置に無線ＬＡＮ接続されているスマートフォンが、ＢＬＥ通信エリア外に移動した際に、無線ＬＡＮ通信回線（及びＢＬＥ通信回線）が切断される流れを示すシーケンス図である。
【図１３】図１３は、実施の形態となる無線ＬＡＮ通信システムのシステム構成図である。
【図１４】図１４は、実施の形態となる無線ＬＡＮ通信システムに設けられている通信範囲制限装置のハードウェア構成図である。
【図１５】図１５は、実施の形態となる無線ＬＡＮ通信システムに設けられているスマートフォンのハードウェア構成図である。
【図１６】図１６は、実施の形態となる無線ＬＡＮ通信システムに設けられている通信範囲制限装置の機能ブロック図である。
【図１７】図１７は、実施の形態となる無線ＬＡＮ通信システムに設けられているスマートフォンの機能ブロック図である。
【図１８】図１８は、実施の形態となる無線ＬＡＮ通信システムの通信範囲制限装置に設けられている第１のリストの模式図である。
【図１９】図１９は、実施の形態となる無線ＬＡＮ通信システムの通信範囲制限装置に設けられている第２のリストの模式図である。
【図２０】図２０は、実施の形態となる無線ＬＡＮ通信システムの通信範囲制限装置からスマートデバイスに転送される転送リストの模式図である。
【図２１】図２１は、実施の形態となる無線ＬＡＮ通信システムのＢＬＥ通信エリア内に移動したスマートデバイスにおける無線ＬＡＮ通信回線接続の流れを示すフローチャートである。
【図２２】図２２は、実施の形態となる無線ＬＡＮ通信システムのＢＬＥ通信エリア内に移動した周辺機器における無線ＬＡＮ通信回線接続の流れを示すフローチャートである。
【図２３】図２３は、実施の形態となる無線ＬＡＮ通信システムのスマートフォンが、転送リストに基づいて選択したプリンタ装置で印刷を行う流れを示すフローチャートである。
【図２４】図２４は、実施の形態となる無線ＬＡＮ通信システムにおいて、無線ＬＡＮ通信回線に接続されたスマートデバイス及び周辺機器が、ＢＬＥ通信エリア外に移動することで、無線ＬＡＮ通信回線を切断する動作を示すフローチャートである。
【発明を実施するための形態】
【０００９】
以下、添付図面を参照して、本発明を適用した実施の形態となる無線ＬＡＮ（Local  Area  Network）通信システムを詳細に説明する。
【００１０】
（基本構成）
まず、以下に説明する実施の形態の無線ＬＡＮ通信システムの基本構成を説明する。図１は、無線ＬＡＮ通信システムの基本構成を示すシステム構成図である。図１に示すように、無線ＬＡＮ通信システムは、通信範囲制限装置１、第１のデバイスとしてスマートフォン２、第２のデバイスとしてプリンタ装置３、及び、第３のデバイスとしてプロジェクタ装置４を有している。なお、図１に示す各デバイスは一例であり、後述する通信機能を有するデバイスであれば、どのようなデバイスでもよい。例えばスマートフォン２の代わりに、タブレット端末装置、携帯ゲーム機、ノート型のパーソナルコンピュータ装置等の携帯可能な通信機器を用いてもよい。
【００１１】
（通信範囲制限装置の基本構成）
通信範囲制限装置１は、例えば無線ＬＡＮルータ等の、無線ＬＡＮのアクセスポイントを形成する機器となっている。通信範囲制限装置１は、ローカルエリアネットワークの一例として、図１中、実線の楕円で示す無線ＬＡＮ通信エリア５を形成する。また、通信範囲制限装置１は、無線ＬＡＮ通信エリア５内における、無線ＬＡＮ通信エリア５よりも狭い、パーソナルエリアネットワーク（ＰＡＮ）内においてのみ、各デバイスの通信を可能とする。
【００１２】
一例として、パーソナルエリアネットワークとしては、極低電力でＢＬＥ（Bluetooth（登録商標）  Low  Energy）通信を行うブルートゥース（登録商標）ＰＡＮを用いることができる。図１中、点線の楕円に示す通信範囲が、ブルートゥース（登録商標）ＰＡＮによるＢＬＥ通信エリア６である。なお、パーソナルエリアネットワークはブルートゥースＰＡＮであることとして説明を進める。しかし、ブルートゥースの代わりに、例えば非接触無線（NFC：Near  Field  Communications）、ＱＲコード(登録商標)又は超音波を用いてもよい。
【００１３】
（通信範囲制限装置の基本的なハードウェア構成）
図２に、通信範囲制限装置１の基本的なハードウェア構成を示す。この図２に示すように、通信範囲制限装置１は、ＣＰＵ（Central  Processing  Unit）１１、ＲＯＭ（Read  Only  Memory）１２、ＲＡＭ（Random  Access  Memory）１３、ＨＤＤ（Hard  Disk  Drive）１４、入出力インタフェース（入出力Ｉ／Ｆ）１５、無線ＬＡＮＡＰ部１６（ＡＰはアクセスポイントの意である）、及び、ＢＬＥ通信部１７を有している。ＣＰＵ１１〜ＢＬＥ通信部１７は、バスライン１８を介して相互に接続されている。
【００１４】
ＲＯＭ１２には、無線ＬＡＮ通信エリア５内のＢＬＥ通信エリア６でのみ、各デバイスの通信を可能とするための通信制御プログラムが記憶されている。通信制御プログラムは、ＲＡＭ１３又はＨＤＤ１４等の他の記憶部に記憶させてもよい。ＣＰＵ１１は、通信制御プログラムに従って動作することで、無線ＬＡＮＡＰ部１６及びＢＬＥ通信部１７を制御し、無線ＬＡＮ通信エリア５内のＢＬＥ通信エリア６においてのみ、各デバイスの通信を可能とする制御を行う。
【００１５】
図１及び図２においては、通信範囲制限装置１は、機器単体として図示されている。しかし、通信範囲制限装置１は、例えばプリンタ装置、または、複合機（ＭＦＰ）等の機器内に組み込まれていてもよい。
【００１６】
（スマートフォンの基本的なハードウェア構成）
図３に、スマートフォン２の基本的なハードウェア構成を示す。この図３に示すように、スマートフォン２は、ＣＰＵ２１、ＲＯＭ２２、ＲＡＭ２３、表示部２４、マイクロホン部２５、スピーカ部２６を有している。また、スマートフォン２は、入出力Ｉ／Ｆ２８、無線通信部２９、カメラ部３０、無線ＬＡＮ通信部３１、及び、ＢＬＥ通信部３２を有している。ＣＰＵ２１〜ＢＬＥ通信部３２は、バスライン３３を介して相互に接続されている。
【００１７】
ＲＯＭ２２には、無線ＬＡＮ通信エリア５内のＢＬＥ通信エリア６でのみ、各デバイスの通信を可能とするための通信制御プログラムが記憶されている。通信制御プログラムは、ＲＡＭ２３等の他の記憶部に記憶させてもよい。ＣＰＵ２１は、通信制御プログラムに従って動作することで、無線ＬＡＮ通信部３１及びＢＬＥ通信部３２を制御する。これにより、無線ＬＡＮ通信エリア５内のＢＬＥ通信エリア６におけるＢＬＥ通信を可能とする。
【００１８】
表示部２４は、透明電極で形成されたタッチパネルと、表示パネルとを一体的に形成した、いわゆるタッチパネル付表示部となっている。無線通信部２９は、所定のキャリアの無線基地局を介して、電話及びメール等の通信を行う。
【００１９】
（プリンタ装置の基本的なハードウェア構成）
図４に、プリンタ装置３の基本的なハードウェア構成を示す。この図４に示すように、プリンタ装置３は、ＣＰＵ４１、ＲＯＭ４２、ＲＡＭ４３、操作パネル４４、プリンタ機構４５を有している。また、プリンタ装置３は、ＨＤＤ４６、無線ＬＡＮ通信部４７、ＢＬＥ通信部４８、有線通信部４９及び入出力Ｉ／Ｆ５０を有している。ＣＰＵ４１〜入出力Ｉ／Ｆ５０は、バスライン５１を介して相互に接続されている。
【００２０】
ＲＯＭ４２には、無線ＬＡＮ通信エリア５内のＢＬＥ通信エリア６でのみ、各デバイスの通信を可能とするための通信制御プログラムが記憶されている。通信制御プログラムは、ＲＡＭ４３又はＨＤＤ４６等の他の記憶部に記憶させてもよい。ＣＰＵ４１は、通信制御プログラムに従って動作することで、無線ＬＡＮ通信部４７及びＢＬＥ通信部４８を制御する。これにより、無線ＬＡＮ通信エリア５内のＢＬＥ通信エリア６におけるＢＬＥ通信を可能とする。また、プリンタ機構４５は、スマートフォン２から指定された印刷設定で画像及びテキスト等の印刷を行う。
【００２１】
（プロジェクタ装置の基本的なハードウェア構成）
図５に、プロジェクタ装置４の基本的なハードウェア構成を示す。この図５に示すように、プロジェクタ装置４は、入力インタフェース部（入力ＩＦ部）６１、画像処理部６２、照明光学系６３、ＲＡＭ６４及び操作部６５を有している。また、プロジェクタ装置４は、リモートコントローラ７０から赤外線送信されるコマンドを受信する受信部６６、無線ＬＡＮ通信部６７、ＢＬＥ通信部６８、及び、ＣＰＵ６９を有している。
【００２２】
このようなプロジェクタ装置４は、投影される画像に対応する画像情報が、入力ＩＦ部６１に供給される。画像情報は、画像処理部６２により、歪み補正等の所定の画像処理が施された後、照明光学系６３によりスクリーン等に投影される。
【００２３】
ＲＡＭ６４には、無線ＬＡＮ通信エリア５内のＢＬＥ通信エリア６でのみ、各デバイスの通信を可能とするための通信制御プログラムが記憶されている。通信制御プログラムは、ＲＯＭ又はＨＤＤ等の他の記憶部に記憶させてもよい。ＣＰＵ６９は、通信制御プログラムに従って動作することで、無線ＬＡＮ通信部６７及びＢＬＥ通信部６８を制御する。これにより、無線ＬＡＮ通信エリア５内のＢＬＥ通信エリア６におけるＢＬＥ通信を可能とする。
【００２４】
（通信範囲制限装置の基本的なソフトウェア構成）
次に、図６は、通信範囲制限装置１のＣＰＵ１１が通信制御プログラムに従って動作することで実現される各機能の機能ブロックである。この図６に示すように、通信範囲制限装置１のＣＰＵ１１は、通信制御プログラムを実行することで、デバイス接続部７５、周辺機器接続部７６、離脱検知部７７、無線ＬＡＮＡＰ制御部７８及びＢＬＥ通信制御部７９として機能する。
【００２５】
なお、この例では、デバイス接続部７５〜ＢＬＥ通信制御部７９は、通信制御プログラムにより、ソフトウェア的に実現されることとして説明を進める。しかし、デバイス接続部７５〜ＢＬＥ通信制御部７９のうち、一部又は全部をＩＣ（Integrated  Circuit）で実現してもよいし、一部または全部をハードウェアで実現してもよい。
【００２６】
また、通信範囲制限装置１の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、通信範囲制限装置１の通信制御プログラムは、インターネット等のネットワーク経由でインストールするかたちで提供してもよい。また、通信範囲制限装置１の通信制御プログラムは、機器内のＲＯＭ等に予め組み込んで提供してもよい。
【００２７】
（スマートフォンの基本的なソフトウェア構成）
次に、図７は、スマートフォン２のＣＰＵ２１が通信制御プログラムに従って動作することで実現される各機能の機能ブロックである。この図７に示すように、スマートフォン２のＣＰＵ２１は、通信制御プログラムに従って動作することで、印刷依頼部８１、無線ＬＡＮ通信制御部８２、ＢＬＥ通信制御部８３としての機能を実現させる。印刷依頼部８１は、ＢＬＥ通信によりプリンタ装置３を遠隔操作して、所望の画像及び文字等を印刷させる機能である。
【００２８】
なお、この例では、印刷依頼部８１〜ＢＬＥ通信制御部８３は、通信制御プログラムにより、ソフトウェア的に実現されることとして説明を進める。しかし、印刷依頼部８１〜ＢＬＥ通信制御部８３のうち、一部又は全部をＩＣ（Integrated  Circuit）で実現してもよいし、一部または全部をハードウェアで実現してもよい。
【００２９】
また、スマートフォン２の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、スマートフォン２の通信制御プログラムは、インターネット等のネットワーク経由でインストールするかたちで提供してもよい。また、スマートフォン２の通信プログラムは、機器内のＲＯＭ等に予め組み込んで提供してもよい。
【００３０】
（プリンタ装置の基本的なソフトウェア構成）
次に、図８は、プリンタ装置３のＣＰＵ４１が通信制御プログラムに従って動作することで実現される各機能の機能ブロックである。この図８に示すように、プリンタ装置３のＣＰＵ４１は、通信制御プログラムに従って動作することで、印刷部８５、無線ＬＡＮ通信制御部８６及びＢＬＥ通信制御部８７としての機能を実現させる。印刷部８５は、スマートフォン２から依頼された画像及び文字等を用紙に印刷するように、プリンタ機構４５を制御する機能である。
【００３１】
なお、この例では、印刷部８５〜ＢＬＥ通信制御部８７は、ソフトウェア的に実現されることとして説明を進める。しかし、印刷部８５〜ＢＬＥ通信制御部８７のうち、一部又は全部をＩＣ（Integrated  Circuit）で実現してもよいし、一部又は全部をハードウェアで実現してもよい。
【００３２】
また、プリンタ装置３の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリなどのコンピュータ装置で読み取り可能な記録媒体に記録して提供してもよい。また、プリンタ装置３の通信制御プログラムは、インターネット等のネットワーク経由でインストールするかたちで提供してもよい。また、プリンタ装置３の通信制御プログラムは、機器内のＲＯＭ等に予め組み込んで提供してもよい。
【００３３】
（無線ＬＡＮ通信システムの基本動作の概要）
このような無線ＬＡＮ通信システムにおいて、図１に実線で示す外側の楕円が、通信範囲制限装置１の無線ＬＡＮＡＰ部１６で形成される無線ＬＡＮの通信可能範囲（無線ＬＡＮ通信エリア５）を示している。この無線ＬＡＮ通信エリア５内に、スマートフォン２、プリンタ装置３及びプロジェクタ装置４が位置している。
【００３４】
スマートフォン２は、無線ＬＡＮ通信機能が設けられたプリンタ装置３及びプロジェクタ装置４等の周辺機器と通信し、無線ＬＡＮを介して所望の画像、文字等の印刷、又は、画像の投影等の遠隔操作が可能となっている。
【００３５】
また、プリンタ装置３及びプロジェクタ装置４等の周辺機器は、無線ＬＡＮ通信部４７，６７と共に、ＢＬＥ通信部４８，６８を有している。これにより、通信範囲制限装置１のＢＬＥ通信部１７との間で、ＢＬＥ通信が可能となっている。ただし、図１に、点線の楕円で示すように、ＢＬＥ通信エリア６は、無線ＬＡＮ通信エリア５よりも狭くなっている。このため、ＢＬＥ通信エリア６内に位置するスマートフォン２及びプリンタ装置３と、通信範囲制限装置１との間でＢＬＥ通信を行うことは可能である。しかし、ＢＬＥ通信エリア６外に位置するプロジェクタ装置４と、通信範囲制限装置１との間でＢＬＥ通信を行うことは不可となっている。
【００３６】
すなわち、無線ＬＡＮ通信システムは、後述するように、ＢＬＥ通信を用いて無線ＬＡＮ設定を行う。このため、実際に無線ＬＡＮで通信できるのは、ＢＬＥ通信が可能なスマートフォン２及びプリンタ装置３だけであり、ＢＬＥ通信が不可なプロジェクタ装置４は、無線ＬＡＮ通信エリア５内であっても、無線ＬＡＮ設定を行うことができず、無線ＬＡＮ通信は不可となっている。
【００３７】
（スマートフォンに対する基本的な接続動作）
図９は、無線ＬＡＮ通信エリア５のＢＬＥ通信エリア６内に移動したスマートフォン２が、無線ＬＡＮ通信回線を確立する流れを示すシーケンス図である。通信範囲制限装置１のデバイス接続部７５は、ＢＬＥ通信制御部７９からＢＬＥ通信部１７を介して、例えば３つのアドバタイズメントチャネルのアドバタイズメントパケットを送信することで、周辺機器に対して自機の存在を知らせている。アドバタイズメントパケットには、ＢＬＥ通信エリア６を示す通信範囲情報が含まれている。ステップＳ１は、ＢＬＥ通信エリア６を示す通信範囲情報を含むアドバタイズメントパケットの送信を示している。
【００３８】
ＢＬＥ通信エリア６内に、スマートフォン２が位置すると、スマートフォン２のＢＬＥ通信部３２で、通信範囲制限装置１から送信されているアドバタイズメントパケット（通信範囲情報）が受信される。スマートフォン２は、受信した通信範囲情報を参照することで、スマートフォン２自身がＢＬＥ通信エリア６内に位置しているか否かを判別する。そして、この判別結果を、ステップＳ２に示す応答として、ＢＬＥ通信により通信範囲制限装置１に送信する。スマートフォン２が、ＢＬＥ通信エリア６内に位置している場合、スマートフォン２のＢＬＥ通信部３２及び通信範囲制限装置１のＢＬＥ通信部１７は、ステップＳ３において、ＢＬＥ通信のペアリング処理（ＢＬＥペアリング）を行う。これにより、スマートフォン２と通信範囲制限装置１との間でＢＬＥ通信が可能となる。
【００３９】
次に、ＢＬＥペアリングが完了すると、通信範囲制限装置１のデバイス接続部７５は、ステップＳ４において、Ｗｉ−Ｆｉアライアンスで規格化された無線ＬＡＮ接続を容易化するＷＰＳ方式のＰＩＮコード（固有識別情報）を、ＢＬＥ通信により、スマートフォン２に送信する。また、通信範囲制限装置１のデバイス接続部７５は、ステップＳ６において、無線ＬＡＮＡＰ部１６に対して、スマートフォン２に送信したＰＩＮコードを転送し、ＷＰＳ方式の通信開始準備指示を行う。通信範囲制限装置１の無線ＬＡＮＡＰ部１６は、ステップＳ８において、スマートフォン２に送信したＰＩＮコードを用いてＷＰＳ方式のセットアップを行う。
【００４０】
一方、通信範囲制限装置１からＷＰＳ方式のＰＩＮコードを受信したスマートフォン２のＢＬＥ通信部３２は、ステップＳ５において、受信したＰＩＮコードを無線ＬＡＮ通信部３１に転送し、ＷＰＳ方式の通信開始準備指示を行う。無線ＬＡＮ通信部３１は、ステップＳ７において、通信範囲制限装置１から転送されたＰＩＮコードを用いてＷＰＳ方式のセットアップを行う。これにより、ステップＳ９において、スマートフォン２及び通信範囲制限装置１が、ＰＩＮコードを用いたＷＰＳ方式によりＷｉ−Ｆｉ接続（無線ＬＡＮ接続）される。
【００４１】
このように、無線ＬＡＮ通信システムは、スマートフォン２が通信範囲制限装置１のＢＬＥ通信エリア６内に位置した際、自動的にＷｉ−Ｆｉ接続（無線ＬＡＮ接続）が完了する。このため、ユーザの無線ＬＡＮに対する設定知識及び面倒なＰＩＮコードの入力操作等を不要とすることができる。また、ＢＬＥ通信においては、暗号化された情報が各機器間で送受信されるため、安全性を確保したうえでＰＩＮコードの送受信を行うことができる。
【００４２】
次に、ＢＬＥ通信（ペアリング）中は、アドバタイズメントパケットを送信できない。このため、スマートフォン２のＢＬＥ通信制御部８３及び通信範囲制限装置１のＢＬＥ通信制御部７９は、新たなデバイスの接続を可能とするために、ステップＳ１０において、一旦、ＢＬＥ通信を切断する。その後、通信範囲制限装置１のデバイス接続部７５は、ステップＳ１１において、ステップＳ１で説明したように、ＢＬＥ通信エリア６を示す通信範囲情報を含むアドバタイズメントパケットを送信する。そして、通信範囲制限装置１のデバイス接続部７５は、上述のようにＢＬＥ通信により、ＢＬＥ通信エリア６に位置しているスマートフォン２等のデバイスと、無線ＬＡＮ通信回線の確立を図る。
【００４３】
（プリンタ装置に対する基本的な接続動作）
次に、図１０は、無線ＬＡＮ通信エリア５のＢＬＥ通信エリア６内に位置するプリンタ装置３が、無線ＬＡＮ通信回線を確立する流れを示すシーケンス図である。周辺機器となるプリンタ装置３は、印刷を依頼するスマートフォン２等のデバイスから印刷の依頼を受けることで、有効に機能するデバイスである。このため、プリンタ装置３との間で無線ＬＡＮ通信を確立する場合、プリンタ装置３を制御するスマートフォン２等が、予め無線ＬＡＮに接続済みであることが好ましい。図１０のシーケンス図は、スマートフォン２が、無線ＬＡＮに接続済みであることを前提としている（図９の説明を参照）。そして、図１０のシーケンス図は、図９のステップＳ１０において、スマートフォン２と通信範囲制限装置１との間のＢＬＥ通信が一旦切断され、アドバタイズメントパケットの送信が可能となることで、ステップＳ２１からの処理が開始される。
【００４４】
プリンタ装置３は、据え置き型の機器であり、通信範囲制限装置１のＢＬＥ通信エリア６内に設けられている。プリンタ装置３は、ステップＳ２１において、上述の３つのアドバタイズメントチャネルを介して、スマートフォン２等の印刷の依頼を行うデバイスが、無線ＬＡＮに接続されたか否かを問うための接続問い合わせ情報を含むアドバタイズメントパケットを、ＢＬＥ通信部４８を介して通信範囲制限装置１に定期的に送信する。図６に示した通信範囲制限装置１の周辺機器接続部７６は、ステップＳ２２において、印刷の依頼を行うデバイスの接続の有無を示す応答を、ＢＬＥ通信部１７を介してプリンタ装置３に送信する。
【００４５】
スマートフォン２等、印刷の依頼を行うデバイスが、無線ＬＡＮに接続された場合、通信範囲制限装置１の周辺機器接続部７６及びプリンタ装置３のＢＬＥ通信部４８は、ステップＳ２３において、ＢＬＥ通信のペアリング処理（ＢＬＥペアリング）を行う。これにより、プリンタ装置３と通信範囲制限装置１との間でＢＬＥ通信が可能となる。
【００４６】
次に、ＢＬＥペアリングが完了すると、通信範囲制限装置１の周辺機器接続部７６は、ステップＳ２４において、Ｗｉ−Ｆｉアライアンスで規格化された無線ＬＡＮ接続を容易化するＷＰＳ方式のＰＩＮコードをプリンタ装置３に送信する。また、通信範囲制限装置１は、ステップＳ２６において、プリンタ装置３に送信したＰＩＮコードを無線ＬＡＮＡＰ部１６に転送し、ＷＰＳ方式の通信開始準備指示を行う。通信範囲制限装置１の無線ＬＡＮＡＰ部１６は、ステップＳ２８において、プリンタ装置３に送信したＰＩＮコードを用いてＷＰＳ方式のセットアップを行う。
【００４７】
一方、通信範囲制限装置１からＷＰＳ方式のＰＩＮコードを受信したプリンタ装置３のＢＬＥ通信部４８は、ステップＳ２５において、受信したＰＩＮコードを無線ＬＡＮ通信部４７に転送し、ＷＰＳ方式の通信開始準備指示を行う。無線ＬＡＮ通信部４７は、ステップＳ２７において、ＢＬＥ通信部４８から転送されたＰＩＮコードを用いてＷＰＳ方式のセットアップを行う。これにより、ステップＳ２９において、プリンタ装置３及び通信範囲制限装置１が、ＰＩＮコードを用いたＷＰＳ方式によりＷｉ−Ｆｉ接続（無線ＬＡＮ接続）される。
【００４８】
次に、上述のように、ＢＬＥ通信（ペアリング）中は、アドバタイズメントパケットを送信できない。このため、プリンタ装置３のＢＬＥ通信部４８及び通信範囲制限装置１のＢＬＥ通信部１７は、新たなデバイスの接続を可能とするために、ステップＳ３０において、一旦、ＢＬＥ通信を切断する。その後、プリンタ装置３のＢＬＥ通信部４８は、ステップＳ３１において、ステップＳ２１で説明したように、接続問い合わせ情報を含むアドバタイズメントパケットを送信する。そして、通信範囲制限装置１は、印刷を依頼するデバイスが無線ＬＡＮに接続された際に、上述のようにＢＬＥ通信により、ＢＬＥ通信エリア６に位置しているプリンタ装置３と、無線ＬＡＮ通信回線の確立を図る。
【００４９】
（印刷動作）
次に、図１１のフローチャートに、無線ＬＡＮに接続されたスマートフォン２からプリンタ装置３を遠隔操作して印刷物を印刷する流れを示す。上述のように無線ＬＡＮ内において、スマートフォン２及びプリンタ装置３が無線ＬＡＮ通信部３１，４７を介して相互に接続されると、スマートフォン２でプリンタ装置３を遠隔操作することが可能となる。
【００５０】
スマートフォン２でプリンタ装置３を遠隔操作する場合、ユーザは、スマートフォン２のＲＯＭ２２等の記憶部に記憶されている印刷アプリケーションプログラムを起動操作する。印刷アプリケーションプログラムが起動操作されると、図７に示すスマートフォン２の印刷依頼部８１は、ステップＳ４１において、無線ＬＡＮ通信制御部８２及び無線ＬＡＮ通信部３１を介してプリンタ装置３に印刷要求を行う。図８に示すプリンタ装置３の印刷部８５は、印刷要求を受信すると、ステップＳ４２において、無線ＬＡＮ通信部４７を介して、スマートフォン２に対し、印刷に用いるデバイスの問い合わせを行う。ユーザは、スマートフォン２に記憶されているデータを印刷する場合は、印刷に用いるデバイスはスマートフォン２であることを、無線ＬＡＮ通信により、プリンタ装置３に通知する。または、ユーザは、プロジェクタ装置４で投影している画像等を印刷する場合は、印刷に用いるデバイスはプロジェクタ装置４であることを、無線ＬＡＮ通信により、プリンタ装置３に通知する。
【００５１】
次に、ステップＳ４３では、プリンタ装置３の印刷部８５が、無線ＬＡＮ通信により、スマートフォン２に対して、印刷するデータの問い合わせを行う。ユーザは、スマートフォン２に記憶されている画像又はテキスト等のデータを印刷する場合、印刷するデータは、スマートフォン２に記憶されているデータであることを、無線ＬＡＮ通信により、プリンタ装置３に通知する。または、ユーザは、プロジェクタ装置４で投影している画像等が印刷するデータである場合は、印刷するデータはプロジェクタ装置４で投影されているデータであることを、無線ＬＡＮ通信により、プリンタ装置３に通知する。最後に、プリンタ装置３の印刷部８５は、ステップＳ４４において、無線ＬＡＮ通信により、ユーザに指定されたデバイス（スマートフォン２又はプロジェクタ装置３）から、ユーザに指定されたデータを取得して印刷を実行する。
【００５２】
（デバイスの切断動作）
次に、図１２は、ＢＬＥ通信エリア６内でプリンタ装置３に無線ＬＡＮ接続されているスマートフォン２が、ＢＬＥ通信エリア６外に移動した際に、無線ＬＡＮ通信回線（及びＢＬＥ通信回線）が切断される流れを示すシーケンス図である。ステップＳ５１では、上述のようにＢＬＥ通信エリア６に対応する通信範囲を示す通信範囲情報が、通信範囲制限装置１のＢＬＥ通信部１７からスマートフォン２にＢＬＥ通信により送信される。スマートフォン２は、ＧＰＳ（Global  Positioning  System）等により自機で検出した自機位置と、通信範囲情報で示されるＢＬＥ通信エリア６とを比較する。そして、スマートフォン２は、自機位置がＢＬＥ通信エリア６外となったことを検出した際に、ステップＳ５２において、無線ＬＡＮ通信部３１に対して無線ＬＡＮの切断指示（Ｗｉ−Ｆｉ切断指示）を行う。
【００５３】
なお、この例では、通信範囲制限装置１側からスマートフォン２に対して通信範囲情報を送信し、スマートフォン２が、自機の現在位置と通信範囲情報で示されるＢＬＥ通信エリア６とを比較して、ＢＬＥ通信エリア６に対する離脱の有無を検出することとした。しかし、スマートフォン２がＧＰＳ等で検出した自機の現在位置を通信範囲制限装置１にＢＬＥ通信で送信し、通信範囲制限装置１が、スマートフォン２の現在位置とＢＬＥ通信エリア６とを比較して、ＢＬＥ通信エリア６に対するスマートフォン２等のデバイスの離脱の有無を検出してもよい。この場合、図６に示す離脱検知部７７が、ＢＬＥ通信エリア６に対するスマートフォン２等のデバイスの離脱の有無を検知することとなる。
【００５４】
スマートフォン２の無線ＬＡＮ通信部３１は、ＢＬＥ通信部３２から無線ＬＡＮの切断が指示されると、ステップＳ５３において、無線ＬＡＮ通信を用いて、通信範囲制限装置１に対して無線ＬＡＮの切断要求を行う。通信範囲制限装置１は、無線ＬＡＮの切断要求を受信すると、ステップＳ５４に示すように、無線ＬＡＮの切断要求を行ったデバイスに関連する無線ＬＡＮ通信回線を切断する。これにより、スマートフォン２のみならず、プリンタ装置３の無線ＬＡＮ通信回線も切断される。
【００５５】
なお、無線ＬＡＮ通信回線の切断後に、再度、無線ＬＡＮ通信回線を確立する場合、通信範囲制限装置１は、ＰＩＮコードを新たなものに更新する。このため、ＢＬＥ通信エリア６外に移動したスマートフォン２が、再度、ＢＬＥ通信エリア６内に移動した際には、前回とは異なるＰＩＮコードを用いて無線ＬＡＮ通信回線が確立されることとなる。
【００５６】
このように、無線ＬＡＮ通信システムは、スマートフォン２がＢＬＥ通信エリア６外に移動した際に、自動的に無線ＬＡＮ通信回線及びＢＬＥ通信回線を切断することができる。このため、スマートフォン２が無線ＬＡＮに接続可能な範囲を、一定の範囲内（ＢＬＥ通信エリア６内）に限定することができる。また、ＢＬＥ通信エリア６外に移動したスマートフォン２のみならず、スマートフォン２と通信を行っていたプリンタ装置３の無線ＬＡＮ通信回線も切断する。このため、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。すなわち、例えば社内ＬＡＮ等の構内網への接続許可を持たないユーザに対しても、構内網の安全性を確保したうえで、ユーザのデバイスを、一時的かつ簡単に、構内網に通信接続させて使用させることができる。
【００５７】
また、無線ＬＡＮ通信回線の切断後に、再度、無線ＬＡＮ通信回線を確立する際には、ＰＩＮコードを新たなものに更新する。このため、ＢＬＥ通信エリア６外に移動したスマートフォン２が、前回の接続時に用いていたＰＩＮコードを再利用して、他のデバイスの無線ＬＡＮ通信の傍受を図る不正行為を防止できる。
【００５８】
また、ＢＬＥ通信エリア６外にスマートフォン２が移動した際には、スマートフォン２のみならず、スマートフォン２と通信を行っていたプリンタ装置３の無線ＬＡＮ通信回線も切断する。これにより、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。
【００５９】
なお、無線ＬＡＮ通信回線の確立時に、ＢＬＥ通信により、通信範囲制限装置１からスマートフォン２等のデバイスに配信するＷＰＳ方式のＰＩＮコードの代わりに、公開鍵を配信してもよい。ＷＰＳ方式のＰＩＮコードの代わりに、例えばディフィーヘルマン鍵交換法（Diffie-Hellman  key  exchange  method）による公開鍵を配信して、無線ＬＡＮ通信回線を確立してもよい。この場合、ＢＬＥ通信エリア６内で公開鍵の送受信が行われるため、無線ＬＡＮの管理者の目が届く範囲内で公開鍵の送受信が行われる。このため、公開鍵を送信するデバイス、及び、公開鍵を受信するデバイス及びユーザ等が明確である。従って、不正ユーザ及び不正デバイス等の、いわゆる成りすましによる不正な通信を防止できる。また、一旦確立された無線ＬＡＮ通信回線が切断され、再度、無線ＬＡＮ通信回線が確立される際には、上述のＰＩＮコードの場合と同様に、前回とは異なる新たな公開鍵を用いることが好ましいであろう。
【００６０】
また、音声（空間を伝搬する音響出力）で、通信範囲制限装置１からスマートフォン２又はプリンタ装置３等のデバイスに対して、ＰＩＮコード又は公開鍵を伝達してもよい。この場合、音響出力は、ＢＬＥ通信で用いられる電波よりも空間の伝達性が悪いため、各デバイス間で音声の送受が可能な範囲に、ＰＩＮコード等の送受信範囲を制限できる。このため、システム管理者等の目の届く狭い範囲でＰＩＮコード等の送受信が行われる。従って、上述の不正ユーザ及び不正デバイス等の、いわゆる成りすましによる不正な通信を、さらに強力に防止できる。
【００６１】
また、通信範囲情報の代わりに、ＢＬＥ通信部１７の受信信号強度（ＲＳＳＩ）を用いて、ＢＬＥ通信エリア６内のデバイスの有無を監視してもよい。また、退場ＲＳＳＩエリア及び入場ＲＳＳＩエリアとみなすＢＬＥ通信の受信信号強度を、所望の受信信号強度に設定することで、ＢＬＥ通信エリア６の範囲内において、無線ＬＡＮに接続可能な範囲（入場ＲＳＳＩエリアの範囲）を動的に調整できる。
【００６２】
（改善点）
このような基本構成を有する無線ＬＡＮ通信システムにおいて、ＢＬＥ通信エリア６内のデバイスは、同じＢＬＥ通信エリア６内の他のデバイスに問い合わせを行うことで、ＢＬＥ通信エリア６内に存在する他のデバイスの存在を認識できる。この他、ＢＬＥ通信エリア６内の他のデバイスの設定及びパスワード等の制御情報も認識できれば、所望のデバイスの選択が容易になる等、システムの利便性の向上を図ることができる。
【００６３】
すなわち、例えば第２の無線通信範囲内に第１のプリンタ装置と第２のプリンタ装置が接続されており、第１のプリンタ装置の印刷設定が、白黒印刷専用の印刷設定であり、第２のプリンタ装置の印刷設定がカラー印刷の印刷設定とする。この場合、第１のプリンタ装置及び第２のプリンタ装置の印刷設定を認識できれば、ユーザが希望する印刷設定のプリンタ装置を選択して印刷を実行でき、大変便利である。また、プリンタ装置の印刷パスワードを事前に認識できれば、印刷を指定したにも関わらず、パスワードが分からないために、印刷を実行できない等の不都合を防止できる。
【００６４】
また、デバイスが、ＢＬＥ通信エリア６外に移動すると、ＢＬＥ通信が困難となる。このため、ＢＬＥ通信で無線ＬＡＮ通信回線の切断指示を行うことは困難となる。しかし、この場合でも、ＢＬＥ通信エリア６外に移動したデバイスを特定して、無線ＬＡＮ通信回線を切断することで、通信システムのセキュリティを、より向上させることができる。
【００６５】
このようなことから、実施の形態の無線ＬＡＮ通信システムは、通信範囲制限装置１が、アドホックネットワークとなっているＢＬＥ通信エリア６内に存在するデバイスのＢＬＥ固有情報及び無線ＬＡＮ固有情報をデバイスリストで管理する。このデバイスリストは、後述する第１のリスト９１、第２のリスト９２及び転送リスト９５に相当する。ＢＬＥ固有情報としては、例えばＢＬＥアドレス（ブルートゥースアドレス）等である。また、無線ＬＡＮ固有情報は、デバイスのＭＡＣ（Media  Access  Control）アドレス又はＩＰ（Internet  Protocol）アドレス等である。
【００６６】
実施の形態の無線ＬＡＮ通信システムは、通信範囲制限装置１がデバイスリストを参照して、ＢＬＥ通信エリア６内に移動したデバイスに対するＢＬＥ通信接続、及びＢＬＥ通信エリア６外に移動したデバイスに対するＢＬＥ通信の切断及び無線ＬＡＮ通信の切断を制御する。デバイスリストを参照することで、ＢＬＥ通信に依存することなく、ＢＬＥ通信エリア６内外に対するデバイスの移動を、デバイスを特定して管理できる。このため、無線ＬＡＮ通信システムのセキュリティを、より向上させることができる。
【００６７】
また、実施の形態の無線ＬＡＮ通信システムは、デバイスが用いている印刷設定及び印刷パスワード等の制御情報もデバイスリストで管理し、ＢＬＥ通信エリア６内の各デバイスで参照する。これにより、所望のデバイスを選択して操作することが可能となり、無線ＬＡＮ通信システムの利便性の向上を図ることができる。
【００６８】
（実施の形態の無線ＬＡＮ通信システムのシステム構成）
図１３は、上述の改善を図った実施の形態の無線ＬＡＮ通信システムのシステム構成図である。図１３において、図１を用いて説明した上述の基本構成の無線ＬＡＮ通信システムと同じ動作を示す箇所には、同じ符号を付してある。
【００６９】
この図１３からわかるように、実施の形態の無線ＬＡＮ通信システムは、通信範囲制限装置１が、無線ＬＡＮ通信エリア５のＢＬＥ通信エリア６内に位置するスマートフォン２等のスマートデバイスのリストである第１のリスト９１を、ＨＤＤ１４に有している。通信範囲制限装置１は、通信装置の一例である。無線ＬＡＮ通信エリア５は、Ｗｉ−Ｆｉ無線通信等の第１の無線通信方式で無線通信を行う第１の通信範囲の一例である。また、ＢＬＥ通信エリア６は、ＢＬＥ通信等の第２の無線通信方式で無線通信を行う第２の通信範囲の一例である。第１のリスト９１は、接続装置情報の一例である。
【００７０】
また、通信範囲制限装置１は、ＨＤＤ１４に、ＢＬＥ通信エリア６内に位置するプリンタ装置３及びプロジェクタ装置４等の周辺機器のリストである第２のリスト９２を有している。また、通信範囲制限装置１は、ＨＤＤ１４に対する第１のリスト９１及び第２のリスト９２の記憶制御を行う記憶制御部９３を有している。記憶制御部９３は、生成部の一例である。また、スマートデバイス及び周辺機器は、他の通信装置の一例である。
【００７１】
また、実施の形態の無線ＬＡＮ通信システムは、スマートフォン２が、ＲＡＭ２３に記憶される転送リスト９５、及びＲＡＭ２３に対する転送リスト９５の記憶制御を行う記憶制御部９６を有している。後述するが、転送リスト９５は、通信範囲制限装置１からＢＬＥ通信エリア６内のスマートフォン２等のスマートデバイスに送信される。転送リスト９５は、ＢＬＥ通信エリア６内の各デバイスの種別、ＩＰアドレス及び印刷設定等の制御情報のリストとなっている。
【００７２】
（実施の形態の無線ＬＡＮ通信システムのハードウェア構成）
実施の形態の無線ＬＡＮ通信システムに設けられている通信範囲制限装置１のハードウェア構成を、図１４に示す。通信範囲制限装置１は、基本構成と同様に、ＣＰＵ１１〜ＢＬＥ通信部１７を、バスライン１８を介して相互に接続した構成を有している。ＣＰＵ１１は、ＨＤＤ１４又はＲＯＭ１２等の記憶部に記憶されている通信制御プログラムに従って記憶制御部９３として機能することで、ＨＤＤ１４に対して第１のリスト９１及び第２のリスト９２を記憶制御する。
【００７３】
実施の形態の無線ＬＡＮ通信システムに設けられているスマートフォン２のハードウェア構成を、図１５に示す。スマートフォン２は、基本構成と同様に、ＣＰＵ２１〜スピーカ部２６及び入出力Ｉ／Ｆ２８〜ＢＬＥ通信部３２を、バスライン３３を介して相互に接続した構成を有している。ＣＰＵ２１は、ＲＯＭ２２に記憶されている通信制御プログラムに従って記憶制御部９６として機能することで、ＲＡＭ２３に対して、通信範囲制限装置１から転送された転送リスト９５を記憶制御する。上述のように、転送リスト９５は、ＢＬＥ通信エリア６内の各デバイスの種別、ＩＰアドレス及び印刷設定等の制御情報のリストとなっている。このため、転送リスト９５を参照することで、他のデバイスの制御情報等を認識可能となっている。
【００７４】
（実施の形態の無線ＬＡＮ通信システムのソフトウェア構成）
次に、図１６に、通信範囲制限装置１のＣＰＵ１１が、通信制御プログラムを実行することで実現される各機能の機能ブロック図を示す。図１６に示すように、ＣＰＵ１１は、通信制御プログラムを実行することで、上述のデバイス接続部７５〜ＢＬＥ通信制御部７９及び記憶制御部９３の各機能を実現する。記憶制御部９３は、後述するように、ＢＬＥ通信エリア６内に位置するスマートフォン２等のスマートデバイスのリストである第１のリスト９１をＨＤＤ１４等の記憶部に記憶制御する。また、記憶制御部９３は、ＢＬＥ通信エリア６内に位置するプリンタ装置３及びプロジェクタ装置４等の周辺機器のリストである第２のリスト９２を、ＨＤＤ１４等の記憶部に記憶制御する。
【００７５】
なお、この例では、デバイス接続部７５〜ＢＬＥ通信制御部７９及び記憶制御部９３は、通信制御プログラムにより、ソフトウェア的に実現されることとして説明を進める。しかし、デバイス接続部７５〜ＢＬＥ通信制御部７９及び記憶制御部９３のうち、一部又は全部をＩＣ（Integrated  Circuit）で実現してもよいし、一部又は全部をハードウェアで実現してもよい。また、通信範囲制限装置１の通信制御プログラムは、インストール可能な形式または実行可能な形式のファイルでＣＤ−ＲＯＭ又は半導体メモリ等のコンピュータ装置で読み取り可能な記録媒体に記録して提供してもよいこと等は、上述のとおりである。また、通信範囲制限装置１の無線ＬＡＮＡＰ部１６は、第１の通信部の一例である。また、通信範囲制限装置１のＢＬＥ通信部１７は、第２の通信部の一例である。
【００７６】
次に、図１７に、スマートフォン２のＣＰＵ２１が、通信制御プログラムを実行することで実現される各機能の機能ブロック図を示す。図１７に示すように、ＣＰＵ２１は、通信制御プログラムを実行することで、上述の印刷依頼部８１〜ＢＬＥ通信制御部８３及び記憶制御部９６の各機能を実現する。記憶制御部９６は、通信範囲制限装置１から転送される転送リスト９５を、ＲＡＭ２３等の記憶部に記憶制御する。転送リスト９５は、後述するように、ＢＬＥ通信エリア６内の各デバイスの種別、ＩＰアドレス及び印刷設定等の制御情報のリストとなっている。
【００７７】
このようなスマートフォン２におけるＢＬＥ通信制御部８３及びＢＬＥ通信部３２は、通信範囲制限装置１からＢＬＥ通信で送信された公開鍵又はＰＩＮコード等の、無線ＬＡＮの設定情報を取得する。
【００７８】
（第１のリストの具体例）
図１８に、第１のリスト９１の一例を示す。ＢＬＥ通信エリア６内に位置することとなったスマートフォン２等のスマートデバイスは、上述のようにＢＬＥ通信によって通信範囲制限装置１に認識される。そして、通信範囲制限装置１の記憶制御部９３は、認識されたスマートデバイスのブルートゥースアドレス、デバイスの種別、及び、デバイスのＩＰアドレスをＨＤＤ１４の第１のリスト９１に登録する。ＩＰアドレスは、Ｗｉ−Ｆｉアドレスであり、第１のアドレスの一例である。また、ブルートゥースアドレスは、第２のアドレスの一例である。通信範囲制限装置１は、第１のリスト９１を用いることで、ＢＬＥ通信エリア６内外に移動するスマートデバイスを特定して認識することが可能となる。
【００７９】
（第２のリストの具体例）
図１９に、第２のリスト９２の一例を示す。ＢＬＥ通信エリア６内に位置することとなったプリンタ装置３及びプロジェクタ装置４等の周辺機器も、スマートフォン２と同様に、ＢＬＥ通信によって通信範囲制限装置１に認識される。そして、通信範囲制限装置１の記憶制御部９３は、認識された周辺機器のブルートゥースアドレス、デバイスの種別、デバイスのＩＰアドレス（Ｗｉ−Ｆｉアドレス）、及び、デバイスの制御情報をＨＤＤ１４の第２のリスト９２に登録する。
【００８０】
すなわち、第２のリスト９２には、ＢＬＥ通信エリア６内に位置することとなったプリンタ装置３のブルートゥースアドレス、プリンタ装置３のデバイスであることを示す種別情報、デバイスのＩＰアドレス（Ｗｉ−Ｆｉアドレス）、及び、白黒印刷設定及び印刷パスワード等の制御情報が登録される。通信範囲制限装置１は、第２のリスト９２を用いることで、ＢＬＥ通信エリア６内外に移動する周辺機器を特定して認識することが可能となる。
【００８１】
（転送リストの具体例）
図２０に、通信範囲制限装置１からＢＬＥ通信エリア６内のスマートフォン２等の各スマートデバイスに転送される転送リスト９５の一例を示す。通信範囲制限装置１は、図１９を用いて説明した第２のリスト９２に登録された各周辺機器の情報のうち、周辺機器の種別情報、ＩＰアドレス及び制御情報をスマートフォン２等の各スマートデバイスに転送する。種別情報は、例えばプリンタ装置３又はプロジェクタ装置４等の周辺機器の種別を示す情報である。周辺機器のＩＰアドレスは、Ｗｉ−Ｆｉアドレスである。周辺機器の制御情報は、白黒印刷設定及び印刷パスワード等の制御情報である。通信範囲制限装置１は、第２のリスト９２に登録された各周辺機器の情報のうち、種別情報、ＩＰアドレス及び制御情報を選択してＢＬＥ通信エリア６内のスマートデバイスに転送する。
【００８２】
すなわち、スマートデバイスに送信される情報は、周辺機器の種別情報及び操作に関する情報（ＩＰアドレス、制御情報）のみで、ＢＬＥ通信エリア６内外への移動を特定するためのブルートゥースアドレスは、転送されないようになっている。各スマートデバイスは、通信範囲制限装置１から転送された各周辺機器の種別情報、ＩＰアドレス及び制御情報を、転送リスト９５に登録する。ユーザは、例えば印刷実行時等に転送リスト９５を参照することで、所望の印刷設定のプリンタ装置３の選択が可能となる。また、ユーザは、例えば印刷実行時等に転送リスト９５を参照することで、選択したプリンタ装置３のパスワードを印刷実行前に入手できる。入手したパスワードを印刷実行時に用いることで、スムーズに印刷等を実行できる。
【００８３】
（スマートデバイスの接続動作）
次に、図２１のフローチャートに、ＢＬＥ通信エリア６内に移動したスマートフォン２等のスマートデバイスにおける無線ＬＡＮ通信回線接続の流れを示す。通信範囲制限装置１は、例えばＢＬＥ通信部１７の受信信号強度（ＲＳＳＩパラメータ）を用いて、ＢＬＥ通信エリア６内外に移動するスマートデバイスを検出する。図２１のフローチャートのステップＳ６１において、通信範囲制限装置１のデバイス接続部７５は、ＢＬＥ通信部１７のＲＳＳＩパラメータに基づいて、スマートデバイスのＢＬＥ通信エリア６内への移動の有無を検知する。
【００８４】
スマートデバイスのＢＬＥ通信エリア６内への移動を検出した場合、図１６に示すデバイス接続部７５は、ステップＳ６２において、既に接続されているスマートデバイスの有無を、記憶制御部９３を介してＨＤＤ１４の第１のリスト９１に問い合わせを行う。既に接続されているスマートデバイスが存在する場合、デバイス接続部７５は、ステップＳ６３において、第１のリスト９１に登録されているスマートデバイスに対して、ＢＬＥ通信制御部７９及びＢＬＥ通信部１７を介して、新たなスマートデバイスの接続の可否の問い合わせを行う（接続許可の問い合わせ）。
【００８５】
接続の可否の問い合わせの結果、既に接続されているスマートデバイスから、新たなスマートデバイスの接続を拒否する応答を受信した場合（ステップＳ６３：Ｎｏ）、デバイス接続部７５は、ステップＳ６７において、ＢＬＥ通信エリア６内への移動を検出したスマートデバイスに対して、ＢＬＥ通信制御部７９及びＢＬＥ通信部１７を介して、接続拒否の通知を行う。そして、デバイス接続部７５は、ＢＬＥ通信を切断処理し、図２１のフローチャートの処理を終了する。
【００８６】
なお、このようなステップＳ６２、ステップＳ６３及びステップＳ６７における、新たなスマートデバイスの接続を、既に接続されているスマートデバイスに問い合わせて許可を得る処理は省略してもよい。
【００８７】
一方、接続の可否の問い合わせの結果、既に接続されているスマートデバイスから、新たなスマートデバイスの接続を許可する応答を受信した場合（ステップＳ６３：Ｙｅｓ）、及び、既に接続されているスマートデバイスが存在しなかった場合（第１のリスト９１にスマートデバイスの登録が無かった場合）、デバイス接続部７５は、ステップＳ６４において、記憶制御部９３を介して、新たなスマートデバイスのブルートゥースアドレス及びデバイスの種別を示す種別情報を、第１のリスト９１に登録する。
【００８８】
次に、デバイス接続部７５は、ステップＳ６５において、新たなスマートデバイスに対して、例えばディフィーヘルマン鍵交換法による公開鍵を、ＢＬＥ通信制御部７９及びＢＬＥ通信部１７を介して、ＢＬＥ通信により配信する。これにより、新たなスマートデバイス側及び通信範囲制限装置１側で、それぞれＷＰＡ／ＷＰＡ２によるＷｉ−Ｆｉ無線通信回線のセットアップにより、新たなスマートデバイスのＩＰアドレス（Ｗｉ−Ｆｉアドレス）が自動設定され、新たなスマートデバイスが無線ＬＡＮに接続（Ｗｉ−Ｆｉ接続）される。なお、新たなスマートデバイスは、無線ＬＡＮ通信制御部８２が、ＢＬＥ通信部３２により受信された公開鍵を用いて、無線ＬＡＮのセットアップ制御を行う。
【００８９】
新たなスマートデバイスとの間に無線ＬＡＮの通信回線が確立すると、通信範囲制限装置１のデバイス接続部７５は、新たなスマートデバイスのＩＰアドレスを第１のリスト９１に登録する。なお、公開鍵の代わりにＰＩＮコードを配信してもよい。公開鍵及びＰＩＮコード等は、第１の無線通信を確立するための設定情報の一例である。また、ＰＩＮコードは、固有識別情報の一例である。
【００９０】
次に、通信範囲制限装置１は、新たに接続されたスマートデバイスに対して、図２０を用いて説明した、ＢＬＥ通信エリア６内の周辺機器の種別情報及び制御情報等のリストである転送リスト９５を転送する。新たに接続されたスマートデバイスの、図１７に示す記憶制御部９６は、ステップＳ６６において、ＲＡＭ２３に転送リスト９５を記憶する。これにより、図２１のフローチャートの処理が終了する。なお、新たに接続されたスマートデバイスの記憶制御部９６は、通信範囲制限装置１から転送リスト９５を受信する毎に、ＲＡＭ２３に記憶されている転送リストを更新処理する。
【００９１】
（周辺機器の接続動作）
次に、図２２のフローチャートに、ＢＬＥ通信エリア６内に移動したプリンタ装置３等の周辺機器における無線ＬＡＮ通信回線接続の流れを示す。通信範囲制限装置１は、スマートデバイスの場合と同様に、例えばＢＬＥ通信部１７の受信信号強度（ＲＳＳＩパラメータ）を用いて、ＢＬＥ通信エリア６内外に移動する周辺機器を検出する。図２２のフローチャートのステップＳ７１において、通信範囲制限装置１の周辺機器接続部７６は、ＢＬＥ通信部１７のＲＳＳＩパラメータに基づいて、周辺機器のＢＬＥ通信エリア６内への移動の有無を検知する。
【００９２】
周辺機器のＢＬＥ通信エリア６内への移動を検出した場合、図１６に示す周辺機器接続部７６は、ステップＳ７２において、記憶制御部９３を介してＨＤＤ１４の第１のリスト９１を参照し、既に接続されているスマートデバイスの有無を判別する。既に接続されているスマートデバイスが存在する場合、周辺機器接続部７６は、ステップＳ７３において、第１のリスト９１に登録されているスマートデバイスに対して、無線ＬＡＮＡＰ制御部７８及び無線ＬＡＮＡＰ部１６（又はＢＬＥ通信制御部７９及びＢＬＥ通信部１７）を介して、新たな周辺機器の接続の可否の問い合わせを行う。
【００９３】
接続の可否の問い合わせの結果、既に接続されているスマートデバイスから、新たな周辺機器の接続を拒否する応答を受信した場合（ステップＳ７３：Ｎｏ）、周辺機器接続部７６は、ステップＳ７８において、ＢＬＥ通信エリア６内への移動を検出した周辺機器に対して、ＢＬＥ通信制御部７９及びＢＬＥ通信部１７を介して、接続拒否の通知を行う。そして、周辺機器接続部７６は、ＢＬＥ通信エリア６内への移動を検出した周辺機器との間のＢＬＥ通信を切断処理し、図２２のフローチャートの処理を終了する。
【００９４】
なお、このようなステップＳ７２、ステップＳ７３及びステップＳ７８における、新たな周辺機器の接続を、既に接続されているスマートデバイスに問い合わせて許可を得る処理は省略してもよい。
【００９５】
一方、接続の可否の問い合わせの結果、既に接続されているスマートデバイスから、新たな周辺機器の接続を許可する応答を受信した場合（ステップＳ７３：Ｙｅｓ）、及び、既に接続されているスマートデバイスが存在しなかった場合（第１のリスト９１にスマートデバイスの登録が無かった場合）、周辺機器接続部７６は、ステップＳ７４において、記憶制御部９３を介して、新たな周辺機器のブルートゥースアドレス及びデバイスの種別を示す種別情報を、第２のリスト９２に登録する。また、周辺機器接続部７６は、新たな周辺機器に対して、例えばディフィーヘルマン鍵交換法による公開鍵を、ＢＬＥ通信により配信する。なお、周辺機器接続部７６は、公開鍵の代わりにＰＩＮコードを配信してもよい。
【００９６】
次に、ステップＳ７５では、新たな周辺機器側及び通信範囲制限装置１側で、それぞれＷＰＡ／ＷＰＡ２によるＷｉ−Ｆｉ無線通信回線のセットアップにより、新たな周辺機器のＩＰアドレス（Ｗｉ−Ｆｉアドレス）が自動設定され、新たな周辺機器が無線ＬＡＮに接続（Ｗｉ−Ｆｉ接続）される。新たな周辺機器との間に無線ＬＡＮの通信回線が確立すると、通信範囲制限装置１の周辺機器接続部７６は、新たな周辺機器のＩＰアドレスを第２のリスト９２に登録する。これにより、ＨＤＤ１４の第２のリスト９２が更新される。
【００９７】
次に、通信範囲制限装置１は、ステップＳ７６において、第１のリスト９１に登録されている各スマートデバイスに対して、新たに登録された周辺機器の種別情報及び制御情報等を含む転送リスト９５を転送する。転送リスト９５を受信した各スマートデバイスは、ステップＳ７７において、ＲＡＭ２３の転送リスト９５を、新たな転送リスト９５に更新する。これにより、図２２のフローチャートの処理が終了する。
【００９８】
（転送リストに基づく印刷動作）
次に、スマートデバイスが転送リスト９５に基づいて周辺機器を操作する一例として、スマートフォン２が、転送リスト９５に基づいて選択したプリンタ装置３で印刷を行う例を説明する。図２３のフローチャートは、このような遠隔操作の流れを示している。
【００９９】
ユーザは、所望の画像又はテキスト等を印刷する場合、タッチパネルとなっている表示部２４を操作して印刷要求を行う。ステップＳ８１では、図１５に示すスマートフォン２のＣＰＵ２１が、ユーザからの印刷要求を取得する。これにより、処理がステップＳ８２に進む。
【０１００】
ステップＳ８２では、ＣＰＵ２１が、ＲＡＭ２３に記憶されている転送リスト９５から各周辺機器の種別情報を読み出し、表示部２４に表示制御する。ユーザは、表示された種別情報に基づいて、印刷に適した周辺機器であるプリンタ装置３を選択操作する。ステップＳ８３では、ＣＰＵ２１が、ユーザにより選択されたプリンタ装置３の制御情報を、転送リスト９５から読み出し、表示部２４に表示制御する。そして、ＣＰＵ２１は、ステップＳ８４において、例えば「デバイスを選択してください」等のメッセージを表示部２４に表示制御することで、印刷に用いるプリンタ装置３の選択をユーザに促す。ユーザは、各プリンタ装置３の制御報等を見比べることで、印刷に用いるプリンタ装置３を選択操作する。
【０１０１】
次に、印刷に用いるプリンタ装置３の選択操作を検出すると、ＣＰＵ２１は、ステップＳ８５において、印刷するデータの問い合わせを行う。ユーザは、印刷するデータの、スマートフォン２内における記憶場所、及び、記憶場所に記憶されている印刷を行うデータ又はファイルを指定する。これにより、ＣＰＵ２１は、これから印刷を行うデータの記憶場所及びデータ名と共に、印刷を行うプリンタ装置３を認識する。そして、ＣＰＵ２１は、ステップＳ８６において、印刷を行うプリンタ装置３に対して、ユーザにより指定されたデータ又はファイルを転送すると共に、転送したデータ又はファイルの印刷要求を行う。これにより、ＢＬＥ通信エリア６内に位置するスマートフォン２が、同じくＢＬＥ通信エリア６内に位置するプリンタ装置３を遠隔操作して、所望のデータ又はファイルを印刷できる。
【０１０２】
（通信回線の切断動作）
次に、図２４のフローチャートに、上述のように無線ＬＡＮ通信回線に接続したスマートデバイス及び周辺機器が、ＢＬＥ通信エリア６外に移動することで、無線ＬＡＮ通信回線を切断する動作の流れを示す。まず、ステップＳ９１において、図１６に示す通信範囲制限装置１の離脱検知部７７が、上述の通信範囲情報に対する応答（ステップＳ２等を参照）の受信を検出しなかった場合、ＢＬＥ通信エリア６外にデバイスの移動が発生したものと判別する。そして、離脱検知部７７は、ステップＳ９２において、ＢＬＥ通信エリア６外に移動したデバイスの種別を判別する。ＢＬＥ通信エリア６外に移動したデバイスの種別が周辺機器であると判別された場合、ステップＳ９３〜ステップＳ９６の処理が実行される。また、ＢＬＥ通信エリア６外に移動したデバイスの種別がスマートデバイスであると判別された場合、ステップＳ９７〜ステップＳ１００の処理が実行される。
【０１０３】
ＢＬＥ通信エリア６外に移動したデバイスの種別が周辺機器であると判別されることで、処理がステップＳ９３に進むと、離脱検知部７７が、記憶制御部９３を介してＨＤＤ１４の第２のリスト９２を参照し、通信範囲情報に対する応答を返信していないブルートゥースアドレスの周辺機器に割り当てられている無線ＬＡＮのＩＰアドレスを取得する。
【０１０４】
ステップＳ９４では、無線ＬＡＮＡＰ制御部７８が、取得したＩＰアドレスに対応する無線ＬＡＮの通信回線を切断処理する。また、ステップＳ９４では、記憶制御部９３が、取得したＩＰアドレスに対応する周辺機器の全ての情報を第２のリスト９２から削除することで、第２のリスト９２を更新する。記憶制御部９３は、削除処理部の一例である。
【０１０５】
ステップＳ９５では、周辺機器接続部７６が、更新された第２のリスト９２に登録された各周辺機器の種別情報、ＩＰアドレス及び制御情報を示す転送リスト９５を新たに生成し、第１のリスト９１に登録されているＢＬＥ通信エリア６内のスマートデバイスに、ＢＬＥ通信で転送する。ステップＳ９６では、ＢＬＥ通信エリア６内の各スマートデバイスが、ＲＡＭ２３に記憶されている転送リスト９５を、新たな転送リスト９５に更新する。これにより、図２４のフローチャートの処理が終了する。
【０１０６】
これに対して、ＢＬＥ通信エリア６外に移動したデバイスの種別がスマートデバイスであると判別されることで、処理がステップＳ９７に進むと、離脱検知部７７が、記憶制御部９３を介してＨＤＤ１４の第１のリスト９１を参照し、通信範囲情報に対する応答を返信していないブルートゥースアドレスのスマートデバイスに割り当てられている無線ＬＡＮのＩＰアドレスを取得する。
【０１０７】
ステップＳ９８では、無線ＬＡＮＡＰ制御部７８が、取得したＩＰアドレスに対応する無線ＬＡＮの通信回線を切断処理する。また、ステップＳ９８では、記憶制御部９３が、取得したＩＰアドレスに対応するスマートデバイスの全ての情報を第１のリスト９１から削除することで、第１のリスト９１を更新する。
【０１０８】
ステップＳ９９では、無線ＬＡＮＡＰ制御部７８が、現在接続されている全てのスマートデバイス及び周辺機器を無線ＬＡＮ通信回線及びＢＬＥ通信回線から切断する。また、無線ＬＡＮＡＰ制御部７８は、上述の公開鍵又はＰＩＮコードを、新たな公開鍵又はＰＩＮコードに変更する。また、記憶制御部９３は、ステップＳ１００において、第１のリスト９１及び第２のリスト９２を全て消去する。そして、デバイス接続部７５及び周辺機器接続部７６は、ＢＬＥ通信制御部７９を介して、全てのスマートデバイス又は周辺機器の間で、新たな公開鍵又はＰＩＮコードの交換を行い、全てのスマートデバイス又は周辺機器に対する無線ＬＡＮの通信回線を再確立する。これにより、ＢＬＥ通信エリア６外にスマートデバイスが移動した後も、暗号鍵を再利用して無線ＬＡＮ通信が可能となる不都合を防止できる。
【０１０９】
（実施の形態の効果）
以上の説明から明らかなように、実施の形態の無線ＬＡＮ通信システムは、無線ＬＡＮ通信エリア５内のＢＬＥ通信エリア６内に位置するデバイスのブルートゥースアドレス、無線ＬＡＮのＩＰアドレスを含むリスト（第１のリスト９１又は第２のリスト９２）を設ける。そして、ＢＬＥ通信エリア６内でＢＬＥ通信が途絶えたデバイスのＩＰアドレスをリストから検索し、検索したＩＰアドレスに対応する無線ＬＡＮ通信回線を切断処理する。これにより、ＢＬＥ通信エリア６外に移動したデバイスを、ＢＬＥ通信に依存することなく特定したうえで、無線ＬＡＮ通信回線の切断処理等の管理を行うことができる。
【０１１０】
また、ＢＬＥ通信が出来なくなったデバイスの無線ＬＡＮ通信回線を切断処理した場合、全てのデバイスに対するＢＬＥ通信回線及び無線ＬＡＮ通信回線を切断処理し、新たに公開鍵又はＰＩＮコードを各デバイスに配布し直して、ＢＬＥ通信回線及び無線ＬＡＮ通信回線の再確立を図る。これにより、ＢＬＥ通信エリア６外に移動したデバイスが、移動前の暗号鍵を用いて無線ＬＡＮ通信が可能となる不都合を防止できる。このため、ネットワークの不正使用を防止して、無線ＬＡＮ通信システムのセキュリティの向上を図ることができる。
【０１１１】
また、実施の形態の無線ＬＡＮ通信システムは、上述のリストから各デバイスの種別及び制御情報（印刷設定及び印刷パスワード等）を取得し、リスト化（転送リスト９５）してＢＬＥ通信エリア６内のデバイスに通知する。これにより、ユーザは、転送リスト９５を参照することで、遠隔操作を行う所望のデバイスを選択し、ＢＬＥ通信エリア６内において、選択したデバイスを遠隔操作して、データの印刷等を行うことができる。
【０１１２】
上述の実施の形態は、例として提示したものであり、本発明の範囲を限定することは意図していない。この新規な実施の形態は、その他の様々な形態で実施されることが可能である。また、発明の要旨を逸脱しない範囲で、種々の省略、置き換え、変更を行うことも可能である。実施の形態及び実施の形態の変形は、発明の範囲や要旨に含まれると共に、特許請求の範囲に記載された発明とその均等の範囲に含まれる。
【符号の説明】
【０１１３】
１  通信範囲制限装置
２  スマートフォン
３  プリンタ装置
４  プロジェクタ装置
５  無線ＬＡＮ通信エリア
６  ＢＬＥ通信エリア
１６  無線ＬＡＮＡＰ部
１７  ＢＬＥ通信部
３１  無線ＬＡＮ通信部
３２  ＢＬＥ通信部
４７  無線ＬＡＮ通信部
４８  ＢＬＥ通信部
６７  無線ＬＡＮ通信部
６８  ＢＬＥ通信部
７５  デバイス接続部
７６  周辺機器接続部
７７  離脱検知部
７８  無線ＬＡＮＡＰ制御部
７９  ＢＬＥ通信制御部
８１  印刷依頼部
８２  無線ＬＡＮ通信制御部
８３  ＢＬＥ通信制御部
８５  印刷部
８６  無線ＬＡＮ通信制御部
８７  ＢＬＥ通信制御部
９１  第１のリスト
９２  第２のリスト
９３  記憶制御部
９５  転送リスト
９６  記憶制御部
【先行技術文献】
【特許文献】
【０１１４】
【特許文献１】特開２０１０−７３１０５号公報
【図１】
2016158177.tif 000003
【図２】
2016158177.tif 000004
【図３】
2016158177.tif 000005
【図４】
2016158177.tif 000006
【図５】
2016158177.tif 000007
【図６】
2016158177.tif 000008
【図７】
2016158177.tif 000009
【図８】
2016158177.tif 000010
【図９】
2016158177.tif 000011
【図１０】
2016158177.tif 000012
【図１１】
2016158177.tif 000013
【図１２】
2016158177.tif 000014
【図１３】
2016158177.tif 000015
【図１４】
2016158177.tif 000016
【図１５】
2016158177.tif 000017
【図１６】
2016158177.tif 000018
【図１７】
2016158177.tif 000019
【図１８】
2016158177.tif 000020
【図１９】
2016158177.tif 000021
【図２０】
2016158177.tif 000022
【図２１】
2016158177.tif 000023
【図２２】
2016158177.tif 000024
【図２３】
2016158177.tif 000025
【図２４】
2016158177.tif 000026